(57)【要約】【課題】鉄塔における頂部近傍の架空地線や、腕金の先端部近傍の架空地線に、複数の帯状片を固定した装着体を取り付けることにより、椋鳥の最初の群れが送電設備に飛来する事態を防止し、その後の椋鳥の飛来も同様に防止した、送電設備における鳥類の飛来防止装置と、鳥類の飛来防止方法を提供する。【解決手段】本発明に係る送電設備における鳥類の飛来防止装置は、鉄塔の架空地線に取り付ける装着体と、この装着体に固定した複数の帯状片から成る。また、装着体は、所定の間隔を開けて対峙している一対の挟持部と、この一対の挟持部間に配置され、一対の挟持部を連結した状態に固定する複数の棒部材により形成され、装着体の棒部材に複数の帯状片を固定している。さらに、装着体に固定した帯状片は、光を反射する部材により形成されている。この他、本発明に係る送電設備における鳥類の飛来防止方法は、鉄塔における頂部近傍の架空地線や、腕金の先端部近傍の架空地線に、複数の帯状片を固定した装着体を取り付けるものである。【選択図】図４
2010098870.tif 000002
【特許請求の範囲】
【請求項１】
鉄塔の架空地線に取り付ける装着体と、この装着体に固定した複数の帯状片から成ることを特徴とする送電設備における鳥類の飛来防止装置。
【請求項２】
装着体は、所定の間隔を開けて対峙している一対の挟持部と、この一対の挟持部間に配置され、一対の挟持部を連結した状態に固定する複数の棒部材により形成され、装着体の棒部材に複数の帯状片を固定している請求項１に記載の送電設備における鳥類の飛来防止装置。
【請求項３】
鉄塔の架空地線に複数の装着体を取り付けた際、隣り合う装着体同士が連結可能に形成されている請求項１または２に記載の送電設備における鳥類の飛来防止装置。
【請求項４】
装着体に固定した帯状片は、光を反射する部材により形成されている請求項１または２に記載の送電設備における鳥類の飛来防止装置。
【請求項５】
鉄塔における頂部近傍の架空地線や、腕金の先端部近傍の架空地線に、複数の帯状片を固定した装着体を取り付けることを特徴とする送電設備における鳥類の飛来防止方法。
【発明の詳細な説明】
【技術分野】
【０００１】
本発明は、鉄塔や、鉄塔を介して吊設されている架空地線等の送電設備に鳥類が飛来することを防止した、送電設備における鳥類の飛来防止装置と、鳥類の飛来防止方法に関するものである。
【背景技術】
【０００２】
鉄塔や、鉄塔を介して吊設されている架空地線等の送電設備には、従来より、椋鳥が飛来する事態が頻繁に生じている。
【０００３】
このような鉄塔には、例えば、図５に示すように、鉄塔Ｔの主柱の頂部に、１本の架空地線ＧＷが吊設されている構造のものがある。また、図６に示すように、鉄塔Ｔの主柱から側方に延設した梁部材である腕金の各先端に、それぞれ架空地線ＧＷが吊設されている構造のもの等もある。
【０００４】
そして、送電設備に椋鳥が頻繁が飛来する時期は、８月の後半から翌年の３月頃までの、およそ半年間程度である。特に、９月の中旬から１２月頃までの、およそ３ヶ月の間が、椋鳥の飛来の最盛期となる。その間においては、日没の１時間から２時間前である、午後４時から６時位に、送電設備に椋鳥が飛来ことが多い。
【０００５】
送電設備への椋鳥の飛来の状況を観察したところ、図５に示す構造の鉄塔Ｔにおいては、およそ５０羽から２００羽の椋鳥の１つの群れが、鉄塔Ｔの頂部（点線部分）に飛来して留まり、その後、次々と他の群れが飛来して、鉄塔Ｔの上部に椋鳥が群がったような状態となる。
【０００６】
同様に、鉄塔Ｔの頂部近傍の架空地線ＧＷ（点線部分）にも椋鳥が飛来して留まり、その後、次々と他の群れが飛来して、架空地線ＧＷの全体に椋鳥が留まっていく。
【０００７】
また、図６に示す構造の鉄塔Ｔにおいても、椋鳥の１つの群れが、腕金の先端部（点線部分）と、腕金の先端部近傍の架空地線ＧＷ（点線部分）に飛来して留まり、その後、次々と他の群れが飛来して、腕金の先端部近傍に椋鳥が群がったような状態となり、架空地線ＧＷの全体にも椋鳥が留まっていく。
【０００８】
このような鉄塔Ｔ等の送電設備における椋鳥の飛来を防止するために、例えば、特許文献１に開示されているような鉄塔用鳥害防止具が提案されている。
【０００９】
この鉄塔用鳥害防止具は、鉄塔の主柱からその側方に延び出た梁部材（腕金）において、複数本の紐状体を下方に垂れ下げたものである。
【特許文献１】特開平１０−９４３５６号公報
【発明の開示】
【発明が解決しようとする課題】
【００１０】
しかしながら、椋鳥は、１つの群れが、腕金の先端部（図５・図６の点線部分）と、腕金の先端部近傍の架空地線ＧＷ（図５・図６の点線部分）に飛来して留まり、その後、次々と他の群れが飛来して、腕金の先端部近傍に椋鳥が群がったような状態となり、架空地線ＧＷの全体にも椋鳥が留まっていくことから、図５・図６に示す構造の鉄塔Ｔにおいて、梁部材（腕金）に複数本の紐状体を下方に垂れ下げた鉄塔用鳥害防止具を採用したとしても、椋鳥の飛来を充分に防止することができないことが予想される。  
【００１１】
すなわち、特許文献１に開示されている鉄塔用鳥害防止具は、梁部材（腕金）の内側において複数本の紐状体を下方に垂れ下げた状態に配置していることから、あくまで梁部材（腕金）の内側において椋鳥の飛来を防止できるものである。
【００１２】
しかし、椋鳥の群れが最初に飛来して留まる梁部材（腕金）の先端部（図５・図６の点線部分…特に、梁部材（腕金）の先端部の上側）と、先端部近傍の架空地線ＧＷ（図５・図６の点線部分）には特別な対策が施されていないため、椋鳥の飛来を充分に防止することができないのである。
【００１３】
その結果、８月の後半から翌年の３月頃までのおよそ半年間（特に、９月の中旬から１２月頃までの、およそ３ヶ月間）の椋鳥の飛来の最盛期に、送電設備に椋鳥が飛来して留まり、送電設備の近隣に糞害が生じていた。
【００１４】
そこで、本発明は如上のような従来存した諸事情に鑑み創出されたもので、鉄塔における頂部近傍の架空地線や、腕金の先端部近傍の架空地線に、複数の帯状片を固定した装着体を取り付けることにより、椋鳥の最初の群れが送電設備に飛来する事態を防止し、その後の椋鳥の飛来も同様に防止した、送電設備における鳥類の飛来防止装置と鳥類の飛来防止方法を提供することを目的とする。
【課題を解決するための手段】
【００１５】
本発明に係る送電設備における鳥類の飛来防止装置は、鉄塔の架空地線に取り付ける装着体と、この装着体に固定した複数の帯状片から成ることで、上述した課題を解決した。
【００１６】
また、装着体は、所定の間隔を開けて対峙している一対の挟持部と、この一対の挟持部間に配置され、一対の挟持部を連結した状態に固定する複数の棒部材により形成され、装着体の棒部材に複数の帯状片を固定していることで、同じく上述した課題を解決した。
【００１７】
さらに、鉄塔の架空地線に複数の装着体を取り付けた際、隣り合う装着体同士が連結可能に形成されていることで、同じく上述した課題を解決した。
【００１８】
また、装着体に固定した帯状片は、光を反射する部材により形成されていることで、同じく上述した課題を解決した。
【００１９】
この他、本発明に係る送電設備における鳥類の飛来防止方法は、鉄塔における頂部近傍の架空地線や、腕金の先端部近傍の架空地線に、複数の帯状片を固定した装着体を取り付けることで、同じく上述した課題を解決した。
【発明の効果】
【００２０】
本発明に係る送電設備における鳥類の飛来防止装置は、鉄塔の架空地線に取り付ける装着体と、この装着体に固定した複数の帯状片から成ることから、架空地線に複数の帯状片が吹き流し状態で存在することとなり、送電設備に鳥類が飛来する事態の発生を阻止することができる。
【００２１】
具体的には、椋鳥の群れが最初に飛来して留まる場所である、鉄塔における頂部近傍の架空地線や、腕金の先端部近傍の架空地線に複数の装着体を取り付けることから、送電設備への椋鳥の飛来を防止することができる。すなわち、椋鳥の最初の群れが送電設備に飛来することを防止することにより、第２・第３の群れの飛来も継続して阻止できるのである。
【００２２】
その結果、８月の後半から翌年の３月頃までのおよそ半年間（特に、９月の中旬から１２月頃までの、およそ３ヶ月間）の椋鳥の飛来の最盛期であっても、送電設備に椋鳥が飛来する事態の発生を阻止し、送電設備の近隣における糞害を防止しているのである。
【００２３】
また、装着体は、所定の間隔を開けて対峙している一対の挟持部と、この一対の挟持部間に配置され、一対の挟持部を連結した状態に固定する複数の棒部材により形成されていることから、一対の挟持部を介して、装着体を架空地線に容易に取り付けることができる。
【００２４】
さらに、装着体を形成する棒部材に複数の帯状片を固定していることから、棒部材の長さに応じた所定の幅部分に、好ましい状況（例えば、等間隔に）に複数の帯状片を配置して、椋鳥の最初の群れが送電設備に飛来することを防止することができる。
【００２５】
また、鉄塔の架空地線に複数の装着体を取り付けたときには、鉄塔における頂部近傍の架空地線に複数の帯状片を広い範囲に配置して、椋鳥の最初の群れが送電設備に飛来することをより確実に防止することができる。このとき、隣り合う装着体同士が、連結可能に形成されていることから、複数の装着体の架空地線への取り付け状態を堅牢に維持することができる。
【００２６】
加えて、装着体に固定した帯状片は、光を反射する部材により形成されていることから、所定の長さを有する帯状片が太陽光を反射してキラキラと光った状態となる。そして、鳥類は、光ったものを嫌う傾向にあることから、椋鳥の最初の群れが送電設備に飛来することをより確実に防止することができる。
【００２７】
また、鉄塔における頂部近傍において風があるときには、所定の長さを有する複数の帯状片が吹流し状態で反転を繰り返すことから、帯状片が太陽光を反射する量が増えるため、椋鳥が送電設備に近付かない事態も実現できる。
【００２８】
この他、本発明に係る送電設備における鳥類の飛来防止方法は、鉄塔における頂部近傍の架空地線や、腕金の先端部近傍の架空地線に、複数の帯状片を固定した装着体を取り付けることから、比較的に簡単な作業で架空地線に装着体を取り付けて、椋鳥の最初の群れが送電設備に飛来することを確実に防止することができる。
【発明を実施するための最良の形態】
【００２９】
以下に、本発明を実施するための最良の形態を、図面を参照して説明する。
【００３０】
本発明に係る送電設備における鳥類の飛来防止装置は、図１に示すように、  鉄鉄塔Ｔの架空地線ＧＷに取り付ける装着体１と、この装着体１に固定した複数の帯状片２から構成されている。
【００３１】
装着体１は、図１・図２示すように、所定の間隔を開けて対峙している一対の挟持部３と、この一対の挟持部３間に配置され、一対の挟持部３を連結した状態に固定する複数の棒部材４により形成されている。
【００３２】
挟持部３は、結合した状態で円形となる２個の挟持片５により形成され、中央に挿通孔６を備えている。
【００３３】
２個の挟持片５の一端側は、接続片７により接合されている。この接続片７により、２個の挟持片５の一端側が回動可能に軸止されている。
【００３４】
具体的には、２個の挟持片５の一端側同士を挟み込むように２枚の接続板片８を宛がい、ボルト部材等の止め具９をそれぞれの部材（８・５）の２箇所に貫通させて、２個の挟持片４を回動可能に接合している。
【００３５】
また、図１に示すように、２個の挟持片５の他端側も、接続片１０により接合されている。
【００３６】
具体的には、２個の挟持片５の他端側同士を挟み込むように２枚の接続板片１１を宛がい、ボルト部材等の止め具９をそれぞれの部材（１１・５）の２箇所に貫通させて、２個の挟持片５を接合している。
【００３７】
尚、図１・図２に示すように、２個の挟持片５を容易に開閉するために、接続片１０について、ワンタッチの操作で挟持片５同士を接合し、また、挟持片５同士を離隔できる構成を採用すると、より好ましいものとなる。
【００３８】
また、挟持部３は、結合した状態で円形となるように形成されているが、これに限定されることはなく、どのような形状であっても差し支えない。
【００３９】
一対の挟持部３を連結した状態に固定する棒部材４としては、図１に示すように、６本の棒部材４が一対の挟持部３間に配置されている。
【００４０】
挟持部３を形成している２個の挟持片５には、それぞれ外周縁に沿って、取付孔１２を備えている３個の固定筒部１３が設けられている。そして、対峙している一対の挟持部３において、ぞれぞれの固定筒部１３の取付孔１２に棒部材４を挿入して、一対の挟持部３を連結している。
【００４１】
尚、棒部材４は、４本以下、また、８本以上の棒部材４で一対の挟持部３を連結するものであっても良い。
【００４２】
挟持部３は、図１に示すように、２個の挟持片５が結合した状態で円形となり、中央に挿通孔６を備えているが、この挿通孔６の位置に、連結用の筒部を設けている。具体的には、一方の挟持部３（図1の左方）の挿通孔６の位置に、挿通孔６と同形の挿入筒部１５を外向きに設けている。
【００４３】
また、他方の挟持部３（図1の右方）の挿通孔６の位置に、挿入筒部１５を挿入して固定できる程度の径の受け筒部１４を外向きに設けている。そして、図３（ａ）（ｂ）に示すように、  鉄塔Ｔの架空地線ＧＷに複数の装着体１を取り付け、隣り合う装着体１の挟持部３において、受け筒部１４に挿入筒部１５を挿入して固定することにより、複数の装着体１を連結しているのである。
【００４４】
この他、図１・図2示すように、装着体１の棒部材４には、複数の帯状片２を固定している。この帯状片２は、５０センチメートル程度の長さを有するものが好ましいものとなる。例えば、１メートル程度の長さを有する絶縁性テープを棒部材４に宛がって折り返すことにより、５０センチメートルの長さの帯状片２が２枚固定されることになる。
【００４５】
また、帯状片２は、光を反射する部材により形成されている。さらに、帯状片２を、例えば、絶縁性テープを用いて形成したときには、鉄塔Ｔの充電部に帯状片２が万が一接触してしまった場合であっても、電気事故の発生を防止できる好ましいものとなる。
【００４６】
尚、棒部材４への帯状片２の固定手段は、どのようなものであっても差し支えない。
【００４７】
このようにして、図１・図2示すように、例えば、１本の棒部材４の３箇所に、帯状片２を固定している。また、６本の棒部材４のうち、１本おきとなる３本の棒部材４に帯状片２を固定している。
【００４８】
以下に、鉄塔Ｔの架空地線ＧＷに、装着体１を取り付ける手順を詳述する。
【００４９】
まず、棒部材４に複数の帯状片２を固定した状態の装着体１において、接続片１０を操作して、図2示すように、挟持部３を形成する２個の挟持片５を開いた状態とする。
【００５０】
次に、図１に示すように、鉄塔Ｔの架空地線ＧＷに開いた状態の挟持片５を宛がい、接続片１０を操作して、２個の挟持片５を開じた状態で固定する。このようにして、鉄塔Ｔの架空地線ＧＷに装着体１を取り付ける
【００５１】
次に、同様の手順で他の装着体１を架空地線ＧＷに取り付ける。このとき、図３（ａ）（ｂ）に示すように、隣り合う装着体１の挟持部３において、受け筒部１４に挿入筒部１５を挿入して固定し、２個の装着体１を連結する。
【００５２】
このような動作を繰り返し行い、図４示すように、必要な数の装着体１を架空地線ＧＷに取り付けていく。
【産業上の利用可能性】
【００５３】
本発明に係る送電設備における鳥類の飛来防止装置と、鳥類の飛来防止方法は、鉄塔を介して吊設されている架空地線に、帯状片を固定している装着体を複数取り付けて鳥類が飛来することを防止することの他に、送電設備におけるあらゆる線状部材に装着体を取り付けて鳥類が飛来することを防止するものとして、幅広く利用することができる。
【図面の簡単な説明】
【００５４】
【図１】棒部材に複数の帯状片を固定している装着体を、架空地線に取り付けている状態を示す斜視図である。
【図２】棒部材に複数の帯状片を固定している装着体において、挟持部を形成する２個の挟持片が開いている状態を示す斜視図である。
【図３】２個の装着体を連結する状態を示すもので、（ａ）は隣り合う装着体の挟持部が近接した状態の拡大斜視図、（ｂ）は一方の装着体の受け筒部に他方の装着体の挿入筒部を挿入し、２個の装着体を連結した状態の拡大斜視図である。
【図４】鉄塔の頂部近傍の架空地線に、帯状片を備えている複数の装着体を取り付けた使用状態の一例を示す斜視図である。
【図５】主柱の頂部に架空地線が吊設されている構造の鉄塔において、椋鳥の最初の群れが飛来して留まり易い場所を明示した斜視図である。
【図６】腕金の各先端に架空地線が吊設されている構造の鉄塔において、椋鳥の最初の群れが飛来して留まり易い場所を明示した斜視図である。
【符号の説明】
【００５５】
Ｔ…鉄塔
ＧＷ…架空地線
１…装着体
２…帯状片
３…挟持部
４…棒部材
５…挟持片
６…挿通孔
７…接続片
８…接続板片
９…止め具
１０…接続片
１１…接続板片
１２…取付孔
１３…固定筒部
１４…受け筒部
１５…挿入筒部
【図１】
2010098870.tif 000003
【図２】
2010098870.tif 000004
【図３】
2010098870.tif 000005
【図４】
2010098870.tif 000006
【図５】
2010098870.tif 000007
【図６】
2010098870.tif 000008